(57)【要約】　　　（修正有）【課題】椅子の組合せ式足乗せ装置の提供。【解決手段】二つの異なるユニットが組み合わされてなる円環形の足乗せ装置２０を具えた椅子１０であり、第１ユニットに嵌合溝２４が設けられ、第２ユニットに該嵌合溝に嵌合する嵌合板４１が設けられて相互に組み合わされ、二つのユニットの外周接合部分に対応する嵌合凹溝４４が設けられると共に位置決めリブ４２とネジ孔が設けられ、組合せ時にボルト４７で固定され、椅子の支柱に足乗せ装置を組み付ける、或いは取り外す時に、シートを取り外さなくともよい。【選択図】　　　　図４
0003097290.tif 000002
【実用新案登録請求の範囲】
【請求項１】
椅子の支柱の適当な高度部分に取り付けられて使用者の両足を乗せるのに供される足乗せ装置とされ、異なる円弧径の第１ユニットと第２ユニットが相互に組み合わされてなり、第１ユニットが円環形の内環と外環間が複数の連接リブで連接されて、内環の中心に支柱に嵌合しうる貫通孔が設けられ、両側の内側辺に嵌合溝が嵌合溝が設けられ、外環の内側辺に凹溝が凹設され、第２ユニットが複数の連接リブで連接された内環と外環を具え、第２ユニットの内環に支柱に嵌合しうる円弧凹溝が設けられ、第２ユニットの外側両側辺に嵌合板が凸設され、第２ユニットの外環両側端縁底部に凹溝が設けられ、第２ユニットの該凹溝にネジ孔が設けられ、該嵌合板と該嵌合溝が相互嵌合され、並びにボルトで支柱の適当な高度部分に固定され、且つ第１ユニットと第２ユニットの外環がそれぞれの凹溝により嵌合され、さらにボルトで固定され、こうして足乗せ装置が椅子の支柱に取り付けられ、第１ユニットと第２ユニットを分解すれば支柱より取り外すことができ、椅子のシートを取り外さずに足乗せ装置の着脱が行えるよう形成されたことを特徴とする、椅子の組合せ式足乗せ装置。
【請求項２】
請求項１記載の椅子の組合せ式足乗せ装置において、ボルトによる支柱への取り付けに供される足乗せ装置の円弧凹溝部分に、凹溝が設けられて活動式の楔板が嵌合され、ボルトの端縁の支持固定に供されることを特徴とする、椅子の組合せ式足乗せ装置。
【請求項３】
請求項２記載の椅子の組合せ式足乗せ装置において、楔板の嵌合される凹溝の底端縁に切欠きが凹設され、楔板の底端に係止突起が凸設され、該係止突起と凹溝の嵌合により楔板の滑動が防止されたことを特徴とする、椅子の組合せ式足乗せ装置。
【請求項４】
請求項１又は請求項２記載の椅子の組合せ式足乗せ装置において、嵌合板が全体が金属板で成型されて嵌合強度が増されたことを特徴とする、椅子の組合せ式足乗せ装置。
【考案の詳細な説明】
【０００１】
【考案の属する技術分野】
本考案は一種の椅子の組合せ式足乗せ装置に係り、特に二つの異なる部品が組み合わされてなる円環形の足乗せ装置であり、相互に分解、組合せが行える便利性を具え、使用者が椅子のシートを取り外さなくとも、組み付けと取り外しが行える椅子の組合せ式足乗せ装置に関する。
【０００２】
【従来の技術】
従来の椅子１０（図１、２参照）は、キャスタ付きの足フレーム１２の上方に、直立する支柱１１でシートが支持されてなり、子供が使用時に両足を置けるように、シートの下方の支柱１１に円環形の足乗せ装置３０が固定されている。この足乗せ装置３０に使用者が両足を乗せることができる。この足乗せ装置３０は円環形を呈し、中心の貫通孔３２により支柱１１に套設される内環３１と外環３２で組成され、且つ内環３１と外環３３の間が複数の連接リブ３４で連結されている。ゆえに足乗せ装置３０が支柱１１に套設されると共に、ボルトで支柱１１の適当な高さに固定され、使用者の両足を乗せるのに供される。
【０００３】
このような足乗せ装置３０を椅子１０の支柱１１に取り付けるか、或いは椅子１０の支柱１１より取り外す時には、必ず先に椅子１０のシートを取り外さねば足乗せ装置３０の着脱が行えず、これが業界の克服すべき欠点である。
【０００４】
【考案が解決しようとする課題】
本考案の主要な目的は、一種の椅子の組合せ式足乗せ装置を提供することにあり、それは、二つの異なるユニットを相互に組み合わせて円環形としてなる足乗せ装置であり、足乗せ装置の椅子への取り付け、取り外し時に、シートを取り外す必要を無くしたものとする。
【０００５】
本考案の次の目的は、一種の椅子の組合せ式足乗せ装置を提供することにあり、それは、二つのユニットの一方に嵌合溝を設け、もう一方に嵌合板を設け、嵌合溝と嵌合板を相互に嵌合させ固定する技術手段により、組合せの強固性を達成するものとする。
【０００６】
本考案のさらに別の目的は、一種の椅子の組合せ式足乗せ装置を提供することにあり、それは二つのユニットの外周接合部分に対応する嵌合凹溝を設け、並びに位置決めリブとネジ孔を設ける技術手段により、組合せ時にネジで固定して強固な組合せを達成するものとする。
【０００７】
【課題を解決するための手段】
請求項１の考案は、椅子の支柱の適当な高度部分に取り付けられて使用者の両足を乗せるのに供される足乗せ装置とされ、異なる円弧径の第１ユニットと第２ユニットが相互に組み合わされてなり、第１ユニットが円環形の内環と外環間が複数の連接リブで連接されて、内環の中心に支柱に嵌合しうる貫通孔が設けられ、両側の内側辺に嵌合溝が嵌合溝が設けられ、外環の内側辺に凹溝が凹設され、第２ユニットが複数の連接リブで連接された内環と外環を具え、第２ユニットの内環に支柱に嵌合しうる円弧凹溝が設けられ、第２ユニットの外側両側辺に嵌合板が凸設され、第２ユニットの外環両側端縁底部に凹溝が設けられ、第２ユニットの該凹溝にネジ孔が設けられ、該嵌合板と該嵌合溝が相互嵌合され、並びにボルトで支柱の適当な高度部分に固定され、且つ第１ユニットと第２ユニットの外環がそれぞれの凹溝により嵌合され、さらにボルトで固定され、こうして足乗せ装置が椅子の支柱に取り付けられ、第１ユニットと第２ユニットを分解すれば支柱より取り外すことができ、椅子のシートを取り外さずに足乗せ装置の着脱が行えるよう形成されたことを特徴とする、椅子の組合せ式足乗せ装置としている。請求項２の考案は、請求項１記載の椅子の組合せ式足乗せ装置において、ボルトによる支柱への取り付けに供される足乗せ装置の円弧凹溝部分に、凹溝が設けられて活動式の楔板が嵌合され、ボルトの端縁の支持固定に供されることを特徴とする、椅子の組合せ式足乗せ装置としている。
請求項３の考案は、請求項２記載の椅子の組合せ式足乗せ装置において、楔板の嵌合される凹溝の底端縁に切欠きが凹設され、楔板の底端に係止突起が凸設され、該係止突起と凹溝の嵌合により楔板の滑動が防止されたことを特徴とする、椅子の組合せ式足乗せ装置としている。
請求項４の考案は、請求項１又は請求項２記載の椅子の組合せ式足乗せ装置において、嵌合板が全体が金属板で成型されて嵌合強度が増されたことを特徴とする、椅子の組合せ式足乗せ装置としている。
【０００８】
【考案の実施の形態】
図３、４に示されるように、本考案は椅子１０の支柱１１の適当な高度部分に取り付けられて使用者の両足を乗せるのに供される足乗せ装置２０である。本実施例は二つの異なる円弧径のユニットが相互に組み合わされてなり、そのうち、大円弧径の第１ユニットは円環形の内環２１と外環２３間が複数の連接リブで連接され、並びに一側に適当な円弧形の切欠き２８が形成され、内環２１の中心に支柱１１に対応する貫通孔２２が設けられ、切欠き２８の二つの内側辺に嵌合溝２４が設けられ、別に外環２３に、切欠き２８に隣接する内側辺に凹溝２５が凹設され、並びに該凹溝２５に貫通孔２６が設けられている。別に小円形の第２ユニットは切欠き２８に対応する円弧径を具え、該第２ユニットも複数の連接リブ４２で連接された内環４０と外環４３を具え、内環４０に支柱１１に対応する円弧凹溝が設けられ、並びに外側の二側辺に嵌合板４１が設けられ、外環４３の両側端縁底部に凹溝４４が凹設され、並びに該凹溝４４にネジ孔４５が設けられている（図５参照）。
【０００９】
組付け時には、第１ユニットと第２ユニットが嵌合板４１と嵌合溝２４の嵌合により組み合わされ、並びにボルト４７で支柱１１の適当な高度位置に固定され、且つ第１ユニットと第２ユニットの外環２３、４３の両端がそれぞれ凹溝２５、４４で係合し、さらにボルト２７で固定されることにより、足乗せ装置２０が椅子１０の支柱１１に組み付けられる。反対に、両者を分解すれば支柱１１より取り外せ、こうして椅子１０のシートを排除しなくとも足乗せ装置２０の着脱が行える機能を達成している。
【００１０】
続いて、図６に示されるように、嵌合板４１は全体が金属板で成型されることにより、二つのユニットの嵌合後の強度を増加できる。内環４０の円弧凹溝にさらに凹溝４６が設けられ、並びに底端縁に切欠き４８が設けられ、楔板５０が凹溝４６内に挿入されてボルト４７による螺子止め時の支持に供される。さらに楔板５０の底端に係止突起５１が設けられて切欠き４８との係合に供され、係止突起５１と切欠き４８の係合作用により、楔板が力を受ける時の滑動が防止される（足乗せ装置２０使用時の受力は下向き方向であるため、楔板５０の底端縁に抵抗力がなければ、楔板５０が凹溝４６内で滑動を発生しやすく、そのために足乗せ装置２０が下に滑る）。
【００１１】
【考案の効果】
総合すると、本考案は二つの異なるユニットが組み合わされて円環形とされてなる足乗せ装置２０の技術手段であり、従来の技術を用いながら、足乗せ装置２０の着脱に運用されることで、操作上の敏捷性を高める進歩性機能を達成している。なお、本考案の構造はその出願前に公開されておらず、新規性を具え、ゆえに本考案は実用新案登録の要件に符合している。なお、以上の実施例は本考案の実施範囲を限定するものではなく、本考案に基づきなしうる細部の修飾或いは改変は、いずれも本考案の請求範囲に属するものとする。
【図面の簡単な説明】
【図１】従来の技術の斜視図である。
【図２】従来の技術の分解斜視図である。
【図３】本考案の斜視図である。
【図４】本考案の分解斜視図である。
【図５】本考案の二つのユニットの外環の螺子止め状態を示す断面図である。
【図６】本考案の底面斜視図である。
【符号の説明】
１０　椅子　　　　　１１　支柱
１２　足フレーム
２０　足乗せ装置　　２１　内環
２２　貫通孔　　　　２３　外環
２４　嵌合溝　　　　２５　凹溝
２６　貫通孔　　　　２７　ボルト
２８　切欠き
３０　足乗せ装置　　３１　内環
３２　貫通孔　　　　３３　外環
３４　連接リブ
４０　内環　　　　　４１　嵌合板
４２　連接リブ　　　４３　外環
４４　凹溝　　　　　４５　ネジ孔
４６　凹溝　　　　　４７　ボルト
４８　切欠き
５０　楔板　　　　　５１　係止突起
【図１】
0003097290.tif 000003
【図２】
0003097290.tif 000004
【図３】
0003097290.tif 000005
【図４】
0003097290.tif 000006
【図５】
0003097290.tif 000007
【図６】
0003097290.tif 000008